【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】  被写体像を撮像して画像データを出力する撮像素子と、
上記撮像素子への露光時間を制御するシャッタと、
被写体輝度に応じて上記露光時間を算出する算出回路と、
複数のモードから１つの動作モードを選択するモード選択回路と、
複数の動作モードに対応してそれぞれ個別に決められた基準のシャッタ時間を記憶した記憶回路と、
上記シャッタを上記算出回路が算出した露光時間開いて上記撮像素子から画像データを取込むと共に上記シャッタを閉じて上記露光時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記露光時間開いて上記撮像素子から画像データを取込む第２撮影動作とを選択的に実行可能とする制御回路と、
を具備し、
上記制御回路は、上記モード選択回路によって選択された動作モードに対応した上記基準のシャッタ時間を上記記憶回路から読出し、上記算出回路が算出した露光時間が上記基準のシャッタ時間以上ならば上記第１撮影動作を実行し、該露光時間が該基準のシャッタ時間未満ならば上記第２撮影動作を実行することを特徴とする電子カメラ。
【請求項２】  被写体像を撮像して画像データを出力する撮像素子と、
上記撮像素子への露光時間を制御するシャッタと、
上記撮像素子の温度を検出する温度センサと、
被写体輝度に応じて上記露光時間を算出する算出回路と、
複数のモードから１つの動作モードを選択するモード選択回路と、
複数の動作モードと温度とに対応して決められた基準のシャッタ時間を記憶した記憶回路と、
上記シャッタを上記算出回路が算出した露光時間開いて上記撮像素子から画像データを取込むと共に上記シャッタを閉じて上記露光時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記露光時間開いて上記撮像素子から画像データを取込む第２撮影動作とを選択的に実行可能とする制御回路と、
を具備し、
上記制御回路は、上記モード選択回路によって選択された動作モードと上記温度センサで検出した温度とに対応した上記基準のシャッタ時間を上記記憶回路から読出し、上記算出回路が算出した露光時間が上記基準のシャッタ時間以上ならば上記第１撮影動作を実行し、該露光時間が該基準のシャッタ時間未満ならば上記第２撮影動作を実行することを特徴とする電子カメラ。
【請求項３】  被写体像を撮像して画像データを出力する撮像素子と、
上記撮像素子への露光時間を制御するシャッタと、
被写体輝度に応じて上記露光時間が算出される第１動作モードとマニュアル操作で上記露光時間が設定される第２動作モードとを選択するモード選択回路と、
上記シャッタを所定時間開いて上記撮像素子から画像データを取込むと共に上記シャッタを閉じて上記所定時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記所定時間開いて上記撮像素子から画像データを取込む第２撮影動作とを実行する制御回路と、
を具備し、
上記制御回路は、上記第１動作モードが選択された際には、被写体輝度に応じて算出された露光時間が予め定められた時間以上ならば上記ダミー撮像動作を伴う第１撮影動作を実行し、上記露光時間が予め定められた時間未満ならば上記第２撮影動作を実行し、上記第２動作モードが選択された際には、常に上記第１撮影動作を実行することを特徴とする電子カメラ。
【手続補正２】
【補正対象書類名】明細書
【補正対象項目名】０００７
【補正方法】変更
【補正の内容】
【０００７】
【課題を解決するための手段】
この発明は、被写体像を撮像して画像データを出力する撮像素子と、上記撮像素子への露光時間を制御するシャッタと、被写体輝度に応じて上記露光時間を算出する算出回路と、複数のモードから１つの動作モードを選択するモード選択回路と、複数の動作モードに対応してそれぞれ個別に決められた基準のシャッタ時間を記憶した記憶回路と、上記シャッタを上記算出回路が算出した露光時間開いて上記撮像素子から画像データを取込むと共に上記シャッタを閉じて上記露光時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記露光時間開いて上記撮像素子から画像データを取込む第２撮影動作とを選択的に実行可能とする制御回路と、を具備し、上記制御回路は、上記モード選択回路によって選択された動作モードに対応した上記基準のシャッタ時間を上記記憶回路から読出し、上記算出回路が算出した露光時間が上記基準のシャッタ時間以上ならば上記第１撮影動作を実行し、該露光時間が該基準のシャッタ時間未満ならば上記第２撮影動作を実行することを特徴とする。  
またこの発明は、被写体像を撮像して画像データを出力する撮像素子と、上記撮像素子への露光時間を制御するシャッタと、上記撮像素子の温度を検出する温度センサと、被写体輝度に応じて上記露光時間を算出する算出回路と、複数のモードから１つの動作モードを選択するモード選択回路と、複数の動作モードと温度とに対応して決められた基準のシャッタ時間を記憶した記憶回路と、上記シャッタを上記算出回路が算出した露光時間開いて上記撮像素子から画像データを取込むと共に上記シャッタを閉じて上記露光時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記露光時間開いて上記撮像素子から画像データを取込む第２撮影動作とを選択的に実行可能とする制御回路と、を具備し、上記制御回路は、上記モード選択回路によって選択された動作モードと上記温度センサで検出した温度とに対応した上記基準のシャッタ時間を上記記憶回路から読出し、上記算出回路が算出した露光時間が上記基準のシャッタ時間以上ならば上記第１撮影動作を実行し、該露光時間が該基準のシャッタ時間未満ならば上記第２撮影動作を実行することを特徴とする。 
更にこの発明は、被写体像を撮像して画像データを出力する撮像素子と、上記撮像素子への露光時間を制御するシャッタと、被写体輝度に応じて上記露光時間が算出される第１動作モードとマニュアル操作で上記露光時間が設定される第２動作モードとを選択するモード選択回路と、上記シャッタを所定時間開いて上記撮像素子から画像データを取込むと共に上記シャッタを閉じて上記所定時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記所定時間開いて上記撮像素子から画像データを取込む第２撮影動作とを実行する制御回路と、を具備し、上記制御回路は、上記第１動作モードが選択された際には、被写体輝度に応じて算出された露光時間が予め定められた時間以上ならば上記ダミー撮像動作を伴う第１撮影動作を実行し、上記露光時間が予め定められた時間未満ならば上記第２撮影動作を実行し、上記第２動作モードが選択された際には、常に上記第１撮影動作を実行することを特徴とする。
【手続補正３】
【補正対象書類名】明細書
【補正対象項目名】０００８
【補正方法】変更
【補正の内容】
【０００８】
すなわちこの発明の電子カメラにあっては、撮像素子により被写体像を撮像して画像データが出力され、上記撮像素子への露光時間はシャッタによって制御される。また、被写体輝度に応じて上記露光時間が算出回路にて算出され、複数のモードから１つの動作モードがモード選択回路によって選択される。複数の動作モードに対応してそれぞれ個別に決められた基準のシャッタ時間は、記憶回路に記憶されている。そして、制御回路に於いて、上記シャッタを上記算出回路が算出した露光時間開いて上記撮像素子から画像データを取込むと共に上記シャッタを閉じて上記露光時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記露光時間開いて上記撮像素子から画像データを取込む第２撮影動作とを選択的に実行可能とする。上記制御回路は、上記モード選択回路によって選択された動作モードに対応した上記基準のシャッタ時間を上記記憶回路から読出し、上記算出回路が算出した露光時間が上記基準のシャッタ時間以上ならば上記第１撮影動作を実行し、該露光時間が該基準のシャッタ時間未満ならば上記第２撮影動作を実行する。  
またこの発明の電子カメラにあっては、撮像素子により被写体像を撮像して画像データが出力され、上記撮像素子への露光時間がシャッタによって制御される。また、上記撮像素子の温度が温度センサで検出され、被写体輝度に応じて上記露光時間が算出回路にて算出される。更に、モード選択回路によって複数のモードから１つの動作モードが選択され、複数の動作モードと温度とに対応して決められた基準のシャッタ時間が記憶回路に記憶されている。そして、制御回路に於いて、上記シャッタを上記算出回路が算出した露光時間開いて上記撮像素子から画像データを取込むと共に上記シャッタを閉じて上記露光時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記露光時間開いて上記撮像素子から画像データを取込む第２撮影動作とを選択的に実行可能とする。そして、上記制御回路は、上記モード選択回路によって選択された動作モードと上記温度センサで検出した温度とに対応した上記基準のシャッタ時間を上記記憶回路から読出し、上記算出回路が算出した露光時間が上記基準のシャッタ時間以上ならば上記第１撮影動作を実行し、該露光時間が該基準のシャッタ時間未満ならば上記第２撮影動作を実行する。 
更にこの発明の電子カメラにあっては、撮像素子によって被写体像を撮像して画像データが出力され、上記撮像素子への露光時間がシャッタによって制御される。また、被写体輝度に応じて上記露光時間が算出される第１動作モードとマニュアル操作で上記露光時間が設定される第２動作モードとが、モード選択回路により選択される。そして、制御回路に於いて、上記シャッタを所定時間開いて上記撮像素子から画像データを取込むと共に上記シャッタを閉じて上記所定時間のダミー撮像動作を行い上記撮像素子から固定パターンノイズデータを取込み該画像データを該固定パターンノイズデータで補正する第１撮影動作と、上記ダミー撮像動作を行うことなく上記シャッタを上記所定時間開いて上記撮像素子から画像データを取込む第２撮影動作とを実行する。更にこの制御回路は、上記第１動作モードが選択された際には、被写体輝度に応じて算出された露光時間が予め定められた時間以上ならば上記ダミー撮像動作を伴う第１撮影動作を実行し、上記露光時間が予め定められた時間未満ならば上記第２撮影動作を実行し、上記第２動作モードが選択された際には、常に上記第１撮影動作を実行する。